(57)【要約】      （修正有）【課題】高画質な映像を撮ることが可能であり、Ｗｉ−Ｆｉピアツーピア伝送モジュールにより、高画質な映像を表示装置に効果良く伝送することが可能な高画質伝送機能付き口腔撮影器材を提供する。【解決手段】高画質（Ｆｕｌｌ  ＨＤ）で口腔を撮影可能なイメージセンサーと、イメージセンサーに隣接する光源部とを含み、口腔に挿入して口腔の内部を撮影することが可能な撮影部１と、イメージセンサー及び光源部と電気的に接続している制御回路２１と、制御回路２１と電気的に接続し、Ｗｉ−Ｆｉピアツーピア（Ｐｅｅｒ−ｔｏ−ｐｅｅｒ）伝送モジュール２３１を含む伝送インターフェースとを含み、撮影部１と連接する握り部２と、を含み、制御回路２１に駆動されるＷｉ−Ｆｉピアツーピア伝送モジュール２３１は、Ｗｉ−Ｆｉピアツーピア方式によって、高画質な映像を表示装置３に伝送する。【選択図】図３
0003190284.tif 000002
【実用新案登録請求の範囲】
【請求項１】
高画質（Ｆｕｌｌ  ＨＤ）で口腔を撮影可能なイメージセンサーと、前記イメージセンサーに隣接する光源部と、を含み、前記口腔に挿入して前記口腔の内部を撮影することが可能な撮影部と、
前記イメージセンサー及び前記光源部と電気的に接続している制御回路と、前記制御回路と電気的に接続し、Ｗｉ−Ｆｉピアツーピア（Ｐｅｅｒ−ｔｏ−ｐｅｅｒ）伝送モジュールを含む伝送インターフェースと、を含み、前記撮影部と連接する握り部と、
を含み、
前記制御回路に駆動される前記Ｗｉ−Ｆｉピアツーピア伝送モジュールは、Ｗｉ−Ｆｉピアツーピア方式によって、高画質な映像を表示装置に伝送することを特徴とする高画質伝送機能付き口腔撮影器材。
【請求項２】
前記イメージセンサーは、ＣＭＯＳ  ｉｍａｇｅ  ｓｅｎｓｏｒ（Ｃｏｍｐｌｅｍｅｎｔａｒｙ  Ｍｅｔａｌ−Ｏｘｉｄｅ−Ｓｅｍｉｃｏｎｄｕｃｔｏｒ  ｉｍａｇｅ  ｓｅｎｓｏｒ）高分解能イメージセンサーであることを特徴とする、請求項１に記載の高画質伝送機能付き口腔撮影器材。
【請求項３】
前記伝送インターフェースは出力ポートを含み、前記出力ポートは、前記制御回路と電気的に接続しており、伝送ケーブルにより高画質な映像を前記表示装置に伝送するものであることを特徴とする、請求項１に記載の高画質伝送機能付き口腔撮影器材。
【考案の詳細な説明】
【技術分野】
【０００１】
本考案は、口腔撮影器材に関し、特に、高画質な映像を伝送可能な口腔撮影器材に関するものである。
【背景技術】
【０００２】
口腔の内部を撮影する器材は、カメラにより患者の口腔の内部を撮影して、治療台に設けられている表示装置に映像を伝送して、患者が自分の口腔の内部の状況を直接に見ることが可能である。このように、医者は口腔の状況を患者に容易に説明することが可能であり、更に、例えばノート型パーソナルコンピュータやタブレット型パーソナルコンピュータに当該映像をセーブすることが可能である。これにより、医者は当該映像によってティーチング又は学術交流を行うことが可能である。
【０００３】
従来の口腔撮影器材は、有線又は無線の伝送方式により、カメラによって撮影した映像を表示装置に伝送して表示するが、当該映像の画質は、Ｖｉｄｅｏ  Ｇｒａｐｈｉｃｓ  Ａｒｒａｙ（ＶＧＡ）の画質であり、ＶＧＡのピクセルが６４０×４８０ピクセルであり、分解能が低いため、口腔の内部の状況を良く保存することができない。一方、ＶＧＡの画質を有する映像により、ティーチング又は学術交流を行う場合には、当該映像の分解能が低いため、口腔の内部の状況を良く説明することができない。
【０００４】
従来の口腔撮影器材は、無線の伝送方式を採用する場合に、２．４ＧＨｚの周波数で映像を伝送し、又は受信する。このような伝送方式を採用する場合には、ＶＧＡの画質だけを伝送可能であり、映像が干渉されやすいため、映像の記録及び撮影の品質を確保することができない。
【考案の概要】
【考案が解決しようとする課題】
【０００５】
本考案の主な目的は、高画質な映像を撮ることが可能であり、Ｗｉ−Ｆｉピアツーピア伝送モジュールにより、高画質な映像を表示装置に効果良く伝送することが可能な高画質伝送機能付き口腔撮影器材を提供することにある。
【課題を解決するための手段】
【０００６】
本考案の高画質伝送機能付き口腔撮影器材によると、高画質（Ｆｕｌｌ  ＨＤ）で口腔を撮影可能なイメージセンサーと、イメージセンサーに隣接する光源部とを含み、口腔に挿入して口腔の内部を撮影することが可能な撮影部と、イメージセンサー及び光源部と電気的に接続している制御回路と、制御回路と電気的に接続し、Ｗｉ−Ｆｉピアツーピア（Ｐｅｅｒ−ｔｏ−ｐｅｅｒ）伝送モジュールを含む伝送インターフェースとを含み、撮影部と連接する握り部と、を含み、制御回路に駆動されるＷｉ−Ｆｉピアツーピア伝送モジュールは、Ｗｉ−Ｆｉピアツーピア方式によって、高画質な映像を表示装置に伝送することを特徴とする。
【０００７】
本考案の高画質伝送機能付き口腔撮影器材によると、イメージセンサーは、ＣＭＯＳ  ｉｍａｇｅ  ｓｅｎｓｏｒ（Ｃｏｍｐｌｅｍｅｎｔａｒｙ  Ｍｅｔａｌ−Ｏｘｉｄｅ−Ｓｅｍｉｃｏｎｄｕｃｔｏｒ  ｉｍａｇｅ  ｓｅｎｓｏｒ）高分解能イメージセンサーであることを特徴とする。
【０００８】
本考案の高画質伝送機能付き口腔撮影器材によると、伝送インターフェースは出力ポートを含み、出力ポートは、制御回路と電気的に接続しており、伝送ケーブルにより高画質な映像を表示装置に伝送するものであることを特徴とする。
【考案の効果】
【０００９】
本考案の高画質伝送機能付き口腔撮影器材によれば、高画質な映像を撮ることが可能であり、Ｗｉ−Ｆｉピアツーピア伝送モジュールにより、高画質な映像を表示装置に効果良く伝送することが可能であるという効果を有する。
【図面の簡単な説明】
【００１０】
【図１】本考案の一実施例を示す斜視図１である。
【図２】本考案の一実施例を示す斜視図２である。
【図３】本考案の一実施例の使用状態を示す模式図１である。
【図４】本考案の一実施例の使用状態を示す模式図２である。
【考案を実施するための形態】
【００１１】
以下、本考案の実施の形態を図面に基づいて説明する。
図１及び図２を参照する。図１は本考案の一実施例を示す斜視図１であり、図２は本考案の一実施例を示す斜視図２である。本考案の高画質伝送機能付き口腔撮影器材は、撮影部１と、握り部２と、を含む。撮影部１は、口腔に挿入して当該口腔の内部を撮影することが可能である。握り部２は撮影部１と連接する。撮影部１は、高画質（Ｆｕｌｌ  ＨＤ）で口腔を撮影可能なイメージセンサー１１と、イメージセンサー１１に隣接する光源部１２と、を含む。イメージセンサー１１は、ＣＭＯＳ  ｉｍａｇｅ  ｓｅｎｓｏｒ（Ｃｏｍｐｌｅｍｅｎｔａｒｙ  Ｍｅｔａｌ−Ｏｘｉｄｅ−Ｓｅｍｉｃｏｎｄｕｃｔｏｒ  ｉｍａｇｅ  ｓｅｎｓｏｒ）高分解能イメージセンサーでもよい。ＣＭＯＳ  ｉｍａｇｅ  ｓｅｎｓｏｒ（Ｃｏｍｐｌｅｍｅｎｔａｒｙ  Ｍｅｔａｌ−Ｏｘｉｄｅ−Ｓｅｍｉｃｏｎｄｕｃｔｏｒ  ｉｍａｇｅ  ｓｅｎｓｏｒ）高分解能イメージセンサーは、マルチピース式、広角、短焦点及び高分解能のレンズ（Ｌｅｎｓ）である。光源部１２は、ＬＥＤ（Ｌｉｇｈｔ-ｅｍｉｔｔｉｎｇ  ｄｉｏｄｅ）ランプ、又はＵＶ（Ｕｌｔｒａｖｉｏｌｅｔ  ｒａｙ）ランプである。本実施例では、イメージセンサー１１の前後には、一列の光源部１２がそれぞれ設けられている。光源部１２の照射により、イメージセンサー１１は口腔の内部を良く撮ることが可能である。
【００１２】
握り部２は、イメージセンサー１１及び光源部１２と電気的に接続している制御回路２１と、押圧されたコマンド信号を制御回路２１に伝送する機能ボタンユニット２２と、制御回路２１と電気的に接続している伝送インターフェース２３と、制御回路２１及び伝送インターフェース２３に電力を供給する電力ユニット２４と、を含む。機能ボタンユニット２２は、撮影部１を駆動して口腔の内部を撮る撮影ボタン２２１と、イメージセンサーを制御してズームインすることが可能な拡大ボタン２２２と、イメージセンサーを制御してズームアウトすることが可能な縮小ボタン２２３と、セーブボタン２２４と、削除ボタン２２５と、を含む。伝送インターフェース２３は、Ｗｉ−Ｆｉピアツーピア（Ｐｅｅｒ−ｔｏ−ｐｅｅｒ）伝送モジュール２３１と、制御回路２１と電気的に接続しており、ＳＤメモリカードを挿入可能なメモリカード挿入ポート２３２と、を含む。前記ＳＤメモリカードは、Ｗｉ−Ｆｉ  ＳＤメモリカード（Ｗｉ−Ｆｉ  Ｓｅｃｕｒｅ  Ｄｉｇｉｔａｌ  Ｍｅｍｏｒｙ  Ｃａｒｄ）、又はＳＤメモリカード（Ｓｅｃｕｒｅ  Ｄｉｇｉｔａｌ  Ｍｅｍｏｒｙ  Ｃａｒｄ）である。
【００１３】
図３を参照する。図３は本考案の一実施例の使用状態を示す模式図１である。本考案の高画質伝送機能付き口腔撮影器材は、表示装置３と接続することが可能である。表示装置３は、ノート型パーソナルコンピュータ、タブレット型パーソナルコンピュータ、又はその他の装置である。表示装置３には、本考案の高画質伝送機能付き口腔撮影器材に対応するソフトウェアがインストールされている。前記ソフトウェアにより、表示装置３が本考案の高画質伝送機能付き口腔撮影器材のコマンドを認識して、それに対応する動作を実行することが可能である。本考案の高画質伝送機能付き口腔撮影器材が表示装置３と接続すると、ユーザが撮影ボタン２２１を押圧するときには、制御回路２１に駆動される光源部１２が光線を発し、イメージセンサー１１が駆動されて撮影を開始する。このとき、イメージセンサー１１によって撮られる高画質な映像は、ＳＤメモリカードに伝送されてセーブされ、Ｗｉ−Ｆｉピアツーピア伝送モジュール２３１により、表示装置３に伝送されて表示される。撮影しているときに、ユーザは、拡大ボタン２２２と縮小ボタン２２３により、イメージセンサー１１の撮影範囲をズームインし、又はズームアウトすることが可能である。撮影を終了するときには、セーブボタン２２４を押圧することにより、高画質な映像が当該ＳＤメモリカードと表示装置３にセーブされる。ユーザは撮った映像が気に入らない場合には、削除ボタン２２５を押圧することで、当該映像を削除することが可能である。
【００１４】
本考案の高画質伝送機能付き口腔撮影器材は、上記の無線伝送方式の他、有線伝送方式を採用してもよい。有線伝送方式を採用する場合には、伝送インターフェース２３が出力ポート２３３を含む。出力ポート２３３は、制御回路２１と電気的に接続しており、伝送ケーブル（図示せず）により高画質な映像を表示装置３に伝送するものである。出力ポート２３３は、ＵＳＢ（Ｕｎｉｖｅｒｓａｌ  Ｓｅｒｉａｌ  Ｂｕｓ）規格の接続ポート、又はＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）規格の接続ポートであり、プラグ  アンド  プレイが可能である。
【００１５】
図４を参照する。図４は本考案の一実施例の使用状態を示す模式図２である。本考案の高画質伝送機能付き口腔撮影器材は、握り部２と結合することが可能であり、商用電源からの電力を電力ユニット２４に供給する充電台４を有する。電力ユニット２４は充電電池でもよい。このように、充電された電力ユニット２４により、本考案の高画質伝送機能付き口腔撮影器材は、電源ケーブルを接続しなくても、利用することが可能であるため、利用が極めて便利である。
【００１６】
本考案の高画質伝送機能付き口腔撮影器材は、イメージセンサー１１によって撮った高画質（Ｆｕｌｌ  ＨＤ）な映像を、Ｗｉ−Ｆｉピアツーピア伝送モジュール２３１により、表示装置３又はＳＤメモリカードに伝送し、セーブすることが可能である他、出力ポート２３３を介して表示装置３に伝送し、セーブすることも可能である。本考案の高画質伝送機能付き口腔撮影器材は、Ｗｉ−Ｆｉピアツーピア伝送モジュール２３１を採用するため、高画質な映像の伝送品質及び安定度が大幅に向上し、１９２０×１０８０高画質（Ｆｕｌｌ  ＨＤ）な映像を伝送することが可能であり、且つ一秒間に３０フレームを再生することが可能である。
【産業上の利用可能性】
【００１７】
本考案は、口腔撮影器材に適用することができる。
【符号の説明】
【００１８】
１  撮影部
２  握り部
３  表示装置
４  充電台
１１  イメージセンサー
１２  光源部
２１  制御回路
２２  機能ボタンユニット
２３  伝送インターフェース
２４  電力ユニット
２２１  撮影ボタン
２２２  拡大ボタン
２２３  縮小ボタン
２２４  セーブボタン
２２５  削除ボタン
２３１  Ｗｉ−Ｆｉピアツーピア伝送モジュール
２３２  メモリカード挿入ポート
２３３  出力ポート
【図１】
0003190284.tif 000003
【図２】
0003190284.tif 000004
【図３】
0003190284.tif 000005
【図４】
0003190284.tif 000006